【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
ケースの前面にドアが開閉可能に取り付けられるオーブントースタであって、ケース内の加熱室の床壁側に棒状のヒータが左右に延びる形態で設置されており、この加熱室において前記ヒータの上方に、加熱対象を載せるための平板棚が水平姿勢で取り付けられており、前記平板棚が、金属の材料よりなるメッシュシートで形成されていることを特徴とするオーブントースタ。
【請求項２】
請求項１に記載のオーブントースタにおいて、前記平板棚は、前記メッシュシートの外周縁部を支持する枠体を有していることを特徴とするオーブントースタ。
【請求項３】
請求項２に記載のオーブントースタにおいて、前記メッシュシートの外周縁部を前記枠体の外周縁部より内側に臨ませたことを特徴とするオーブントースタ。
【請求項４】
請求項１に記載のオーブントースタにおいて、前記平板棚が金属の線材を平織したメッシュシートで形成されていることを特徴とするオーブントースタ。
【請求項５】
請求項２に記載のオーブントースタにおいて、前記平板棚を支持する前記枠体は、前記メッシュシートの外周縁部を被覆することを特徴とするオーブントースタ。
【請求項６】
請求項２から５に記載のオーブントースタにおいて、前記枠体は、前記メッシュシートの外周縁部に上方から固着する第１枠体と、メッシュシートの外周縁部に下方から固着する第２枠体とからなることを特徴とするオーブントースタ。
【請求項７】
請求項６に記載のオーブントースタにおいて、前記第１枠体及び第２枠体は、前記メッシュシートの外周縁部を上下方向から挟み込むことによりメッシュシート外周縁部を補強するものであることを特徴とするオーブントースタ。
【請求項８】
請求項６に記載のオーブントースタにおいて、前記第１枠体または第２枠体の少なくとも一方は平板状部材で形成され、前記メッシュシートの周縁を前記平板状部材の外周縁部より内側に臨ませたことを特徴とするオーブントースタ。
【請求項９】
請求項４に記載のオーブントースタにおいて、前記メッシュシートは、メッシュを構成する線材の直径がφ０．４ｍｍ以上の大きさの線材を用いて、目数を３．０メッシュ以上としたことを特徴とするオーブントースタ。
【請求項１０】
請求項１から９に記載のオーブントースタにおいて、前記平板棚が加熱室に対し着脱自在に設けられると共に、前記ドアが前記加熱室の前面を前倒し状態で開放可能に形成され、前記ドアの開放に連動して前記平板棚が加熱室の外部に引き出されることを特徴とするオーブントースタ。
【手続補正２】
【補正対象書類名】明細書
【補正対象項目名】０００７
【補正方法】変更
【補正の内容】
【０００７】
【課題を解決するための手段及び発明の効果】
本願発明の請求項１に記載の発明は、ケースの前面にドアが開閉可能に取り付けられるオーブントースタであって、ケース内の加熱室の床壁側に棒状のヒータが左右に延びる形態で設置されており、この加熱室において前記ヒータの上方に、加熱対象を載せるための平板棚が水平姿勢で取り付けられており、前記平板棚が、金属の材料よりなるメッシュシートで形成されているものである。


【手続補正３】
【補正対象書類名】明細書
【補正対象項目名】０００８
【補正方法】変更
【補正の内容】
【０００８】
請求項２の発明は、請求項１に記載のオーブントースタにおいて、前記平板棚は、前記メッシュシートの外周縁部を支持する枠体を有しているものである。


【手続補正４】
【補正対象書類名】明細書
【補正対象項目名】０００９
【補正方法】変更
【補正の内容】
【０００９】
請求項３に記載の発明は、請求項２に記載のオーブントースタにおいて、前記メッシュシートの外周縁部を前記枠体の外周縁部より内側に臨ませたものである。


【手続補正５】
【補正対象書類名】明細書
【補正対象項目名】００１０
【補正方法】変更
【補正の内容】
【００１０】
請求項４の発明は、請求項１に記載のオーブントースタにおいて、前記平板棚が金属の線材を平織したメッシュシートで形成されているものである。


【手続補正６】
【補正対象書類名】明細書
【補正対象項目名】００１１
【補正方法】変更
【補正の内容】
【００１１】
請求項５の発明は、請求項２に記載のオーブントースタにおいて、前記平板棚を支持する前記枠体は、前記メッシュシートの外周縁部を被覆する。


【手続補正７】
【補正対象書類名】明細書
【補正対象項目名】００１２
【補正方法】変更
【補正の内容】
【００１２】
請求項６の発明は、請求項２から５に記載のオーブントースタにおいて、前記枠体は、前記メッシュシートの外周縁部に上方から固着する第１枠体と、メッシュシートの外周縁部に下方から固着する第２枠体とからなるものである。


【手続補正８】
【補正対象書類名】明細書
【補正対象項目名】００１３
【補正方法】変更
【補正の内容】
【００１３】
請求項７の発明は、請求項６に記載のオーブントースタにおいて、前記第１枠体及び第２枠体は、前記メッシュシートの外周縁部を上下方向から挟み込むことによりメッシュシート外周縁部を補強するものである。


【手続補正９】
【補正対象書類名】明細書
【補正対象項目名】００１４
【補正方法】変更
【補正の内容】
【００１４】
請求項８の発明は、請求項６に記載のオーブントースタにおいて、前記第１枠体または第２枠体の少なくとも一方は平板状部材で形成され、前記メッシュシートの周縁を前記平板状部材の外周縁部より内側に臨ませたものである。
請求項９の発明は、請求項４に記載のオーブントースタにおいて、前記メッシュシートは、メッシュを構成する線材の直径がφ０．４ｍｍ以上の大きさの線材を用いて、目数を３．０メッシュ以上としたものである。
請求項１０の発明は、請求項１から９に記載のオーブントースタにおいて、前記平板棚が加熱室に対し着脱自在に設けられると共に、前記ドアが前記加熱室の前面を前倒し状態で開放可能に形成され、前記ドアの開放に連動して前記平板棚が加熱室の外部に引き出されるものである。


【手続補正１０】
【補正対象書類名】明細書
【補正対象項目名】００１５
【補正方法】変更
【補正の内容】
【００１５】
請求項１〜９の構成によれば、棚板をメッシュシートで形成したので、棚板に載置される加熱対象を多数点で支持でるようになり、餅などの軟らかい加熱対象を棚板の間から垂れにくく出来ると共に、線材が細いので加熱対象に不要な網目の焦げ残りを出来にくくすることが可能になる。


【手続補正１１】
【補正対象書類名】明細書
【補正対象項目名】００１６
【補正方法】変更
【補正の内容】
【００１６】
特に請求項２〜７の構成によれば、メッシュシートの縁が枠体で補強されるので、より薄いメッシュシートを採用できるようになる。即ちメッシュシートを構成する線材の線径をできるだけ細くでき、メッシュ数を増やすことができるので、上記の効果がより一層向上する上、メッシュシートを四辺全周からしっかりと固定できるので、比較的重い調理物を載せたり、メッシュシートを洗浄するときに力を加えても、メッシュシートが変形したり、枠体から外れたりすることが防止される。


【手続補正１２】
【補正対象書類名】明細書
【補正対象項目名】００１８
【補正方法】変更
【補正の内容】
【００１８】
特に、請求項６のように第１枠体と第２枠体とで枠体を形成することによって構造が簡単となるので、コストダウンとなる。


【手続補正１３】
【補正対象書類名】明細書
【補正対象項目名】００２４
【補正方法】変更
【補正の内容】
【００２４】
前記パンチング板１０は加熱室２内の熱を逃がさないようにするためのもので、後述するヒータ７Ａ、７Ｂから照射された熱や反射板５、６によって反射された熱の内、前記覗き窓９側に向かって照射された熱の一部を加熱室３側へ反射させて、覗き窓９から熱が逃げるのを防ぐ働きをなす。